(57)【要約】【課題】  ドレンパンおよびドレン配管内でのスライムの増殖を効果的に防止できるようにする。【解決手段】  熱交換器６からのドレン水Ｄを受け止めるドレンパン８に、前記ドレン水Ｄをくみ出すドレンポンプ１６を設けてなる空気調和機において、前記ドレンポンプ１６の吐出口１８より下流側であって該吐出口１８より高位にあるドレン配管Ｌに、ドレン水Ｄと接触可能状態の抗菌剤１９，１９・・を配置して、ドレンポンプ１６の運転時においては、ドレン配管Ｌを通過するドレン水Ｄが抗菌剤１９，１９・・に接触して、ドレンポンプ１６の下流側における静菌効果が大きくなる（スライムの増殖を防止できる）一方、ドレンポンプ１６の運転停止時においては、ドレン配管Ｌ内に残る高濃度の抗菌剤を含む戻り水がドレンパン８に逆流し、ドレンパン８内における静菌効果が大きくなる（スライムの増殖を防止できる）ようにしている。【選択図】        図２
2006194492.tif 000002
【特許請求の範囲】
【請求項１】
熱交換器（６）および該熱交換器（６）からのドレン水（Ｄ）を受け止めるドレンパン（８）を備え、該ドレンパン（８）には、前記ドレン水（Ｄ）をくみ出すドレンポンプ（１６）を設けてなる空気調和機であって、前記ドレンポンプ（１６）の吐出口（１８）より下流側であって該吐出口（１８）より高位にあるドレン配管（Ｌ）には、ドレン水（Ｄ）と接触可能状態の抗菌剤（１９），（１９）・・を配置したことを特徴とする空気調和機。
【請求項２】
前記ドレン配管（Ｌ）における室内機本体（３）外に位置する部分に、前記抗菌剤（１９），（１９）・・を配置したことを特徴とする請求項１記載の空気調和機。
【請求項３】
前記ドレン配管（Ｌ）における室内機本体（３）内側と室内機本体（３）外側とを接続する配管接続部（２５）に、前記抗菌剤（１９），（１９）・・を配置したことを特徴とする請求項２記載の空気調和機。
【請求項４】
前記抗菌剤（１９），（１９）・・を、多数の開孔部（２１），（２１）・・を有する保持容器（２０）内に収納してなる抗菌剤ユニット（Ｋ）として与えられることを特徴とする請求項１、２および３のいずれか一項記載の空気調和機。
【請求項５】
前記前記抗菌剤（１９），（１９）・・を、合成樹脂等の材料からなる保持材（２２）に練り込んでなる抗菌剤ユニット（Ｋ）として与えられることを特徴とする請求項１、２および３のいずれか一項記載の空気調和機。
【発明の詳細な説明】
【技術分野】
【０００１】
本願発明は、空気調和機に関し、さらに詳しくはドレンパンおよびドレンポンプ下流側のドレン配管内の静菌効果（換言すれば、細菌の繁殖抑制効果）を最大限に発揮できるようにした空気調和機に関するものである。
【背景技術】
【０００２】
一般の空気調和機は、熱交換器および送風機を備え、前記熱交換器の下方には、ドレン水を受け止めるドレンパンを設けて構成されているが、ドレンパン内のドレン水には細菌が繁殖することが多い。
【０００３】
ドレン水に細菌が繁殖すると、スライムが生成され、異臭やドレン配管の詰まりを発生させるという不具合が生ずる。
【０００４】
上記不具合に対処するために、ドレンパンに抗菌剤を入れてドレン水に浸漬させて細菌の発生を防止することとされている（特許文献１参照）。
【０００５】
また、ドレン配管に抗菌剤を練り込んで、ドレン配管内でのスライムの増殖を防止することとされている（特許文献２参照）。
【０００６】
【特許文献１】特開２０００−７４４０９号公報。
【０００７】
【特許文献２】特開２００４−２０５１３２号公報。
【発明の開示】
【発明が解決しようとする課題】
【０００８】
ところが、上記特許文献１に開示されているように、ドレンパン内に抗菌剤を配設する場合、抗菌剤の位置決めのために適当な支持部材が必要となり、構造が複雑化するとともにコストアップを招くおそれもあるし、ドレンパン内における抗菌剤の配置位置によっては、ドレンポンプの下流側におけるドレン配管での静菌効果が不十分となり、ドレン配管内でのスライムの増殖を防止できない場合がある。また、上記特許文献２に開示されているように、ドレン配管に抗菌剤を練り込む場合、ドレン配管での静菌効果が期待できるものの、ドレンパン内のドレン水に対する静菌効果が期待できないとともに、抗菌剤の絶対量が不足し勝ちとなり、長期間に亙っての使用ができないという不具合が存する。
【０００９】
本願発明は、上記の点に鑑みてなされたもので、ドレンパンおよびドレン配管内でのスライムの増殖を効果的に防止できるようにすることを目的としている。
【課題を解決するための手段】
【００１０】
本願発明では、上記課題を解決するための第１の手段として、熱交換器６および該熱交換器６からのドレン水Ｄを受け止めるドレンパン８を備え、該ドレンパン８に、前記ドレン水Ｄをくみ出すドレンポンプ１６を設けてなる空気調和機において、前記ドレンポンプ１６の吐出口１８より下流側であって該吐出口１８より高位にあるドレン配管Ｌに、ドレン水Ｄと接触可能状態の抗菌剤１９，１９・・を配置している。
【００１１】
上記のように構成したことにより、ドレンポンプ１６の運転時においては、ドレン配管Ｌを通過するドレン水Ｄが抗菌剤１９，１９・・に接触して、ドレンポンプ１６の下流側における静菌効果が大きくなる（スライムの増殖を防止できる）一方、ドレンポンプ１６の運転停止時においては、ドレン配管Ｌ内に残る高濃度の抗菌剤を含む戻り水がドレンパン８に逆流し、ドレンパン８内における静菌効果が大きくなる（スライムの増殖を防止できる）。
【００１２】
本願発明では、さらに、上記課題を解決するための第２の手段として、上記第１の手段を備えた空気調和機において、前記ドレン配管Ｌにおける室内機本体３外に位置する部分に、前記抗菌剤１９，１９・・を配置することもでき、そのように構成した場合、抗菌剤１９，１９・・に対するメンテナンスが容易となる。
【００１３】
本願発明では、さらに、上記課題を解決するための第３の手段として、上記第２の手段を備えた空気調和機において、前記ドレン配管Ｌにおける室内機本体３内側と室内機本体３外側とを接続する配管接続部２５に、前記抗菌剤１９，１９・・を配置することもでき、そのように構成した場合、配管接続部２５は通常着脱が可能となっているところから、抗菌剤１９，１９・・に対するメンテナンスがさらに容易となる。
【００１４】
本願発明では、さらに、上記課題を解決するための第４の手段として、上記第１、第２又は第３の手段を備えた空気調和機において、前記抗菌剤１９，１９・・を、多数の開孔部２１，２１・・を有する保持容器２０内に収納してなる抗菌剤ユニットＫとして与えられるようにすることもでき、そのように構成した場合、ドレン水と抗菌剤１９，１９・・との接触面積を大きくできるところから、静菌効果を長時間持続できる。
【００１５】
本願発明では、さらに、上記課題を解決するための第５の手段として、上記第１、第２又は第３の手段を備えた空気調和機において、前記前記抗菌剤１９，１９・・を、合成樹脂等の材料からなる保持材２２に練り込んでなる抗菌剤ユニットＫとして与えられるようにすることもでき、そのように構成した場合、ドレン水と抗菌剤１９，１９・・との接触面積を大きくできるところから、静菌効果を長時間持続できる。
【発明の効果】
【００１６】
本願発明の第１の手段によれば、熱交換器６および該熱交換器６からのドレン水Ｄを受け止めるドレンパン８を備え、該ドレンパン８に、前記ドレン水Ｄをくみ出すドレンポンプ１６を設けてなる空気調和機において、前記ドレンポンプ１６の吐出口１８より下流側であって該吐出口１８より高位にあるドレン配管Ｌに、ドレン水Ｄと接触可能状態の抗菌剤１９，１９・・を配置しているので、ドレンポンプ１６の運転時においては、ドレン配管Ｌを通過するドレン水Ｄが抗菌剤１９，１９・・に接触して、ドレンポンプ１６の下流側における静菌効果が大きくなる（スライムの増殖を防止できる）一方、ドレンポンプ１６の運転停止時においては、ドレン配管Ｌ内に残る高濃度の抗菌剤を含む戻り水がドレンパン８に逆流し、ドレンパン８内における静菌効果が大きくなり（スライムの増殖を防止でき）、ドレン配管Ｌおよびドレンパン８におけるスライムの増殖を効果的に防止できるという効果がある。
【００１７】
本願発明の第２の手段におけるように、上記第１の手段を備えた空気調和機において、前記ドレン配管Ｌにおける室内機本体３外に位置する部分に、前記抗菌剤１９，１９・・を配置することもでき、そのように構成した場合、抗菌剤１９，１９・・に対するメンテナンスが容易となる。
【００１８】
本願発明の第３の手段におけるように、上記第２の手段を備えた空気調和機において、前記ドレン配管Ｌにおける室内機本体３内側と室内機本体３外側とを接続する配管接続部２５に、前記抗菌剤１９，１９・・を配置することもでき、そのように構成した場合、配管接続部２５は通常着脱が可能となっているところから、抗菌剤１９，１９・・に対するメンテナンスがさらに容易となる。
【００１９】
本願発明の第４の手段におけるように、上記第１、第２又は第３の手段を備えた空気調和機において、前記抗菌剤１９，１９・・を、多数の開孔部２１，２１・・を有する保持容器２０内に収納してなる抗菌剤ユニットＫとして与えられるようにすることもでき、そのように構成した場合、ドレン水と抗菌剤１９，１９・・との接触面積を大きくできるところから、静菌効果を長時間持続できる。
【００２０】
本願発明の第５の手段におけるように、上記第１、第２又は第３の手段を備えた空気調和機において、前記前記抗菌剤１９，１９・・を、合成樹脂等の材料からなる保持材２２に練り込んでなる抗菌剤ユニットＫとして与えられるようにすることもでき、そのように構成した場合、ドレン水Ｄと抗菌剤１９，１９・・との接触面積を大きくできるところから、静菌効果を長時間持続できる。
【発明を実施するための最良の形態】
【００２１】
以下、添付の図面を参照して、本願発明の好適な実施の形態について説明する。
【００２２】
本実施の形態にかかる空気調和機は、天井埋込式空気調和機用室内機とされており、図１に示すように、天井Ｆに形成された矩形形状の開口１の上方に位置して天井裏の棟木（図示省略）に対して吊りボルト２，２を介して吊り下げ支持された空気調和機本体（即ち、室内機本体）３と、前記開口１を覆う化粧パネル４とによって構成されている。
【００２３】
前記空気調和機本体１は、略直方体形状のケーシング５内に熱交換器６および送風機７を配設するとともに、前記熱交換器６の下方には、該熱交換器６から落下するドレン水Ｄを受け止めるドレンパン８が配設されている。符号９はベルマウス、１０は空気通路である。
【００２４】
前記化粧パネル４は、前記開口１を覆うに足る大きさを有する矩形形状とされており、その中央部には、空気吸込口１１が形成され、該空気吸込口１１の回りには、前記空気通路１０とそれぞれ連通する４個の空気吹出口１３が形成されている。
【００２５】
前記熱交換器６は、開放部を有する略環状とされており、例えばクロスフィンコイルタイプの熱交換器とされている。
【００２６】
前記ドレンパン８は、前記熱交換器６の形状と対応するように、開放部を有する略環状とされており、断面Ｕ字状とされている。また、このドレンパン８における一端部側には、ドレン水Ｄを汲み上げるドレンポンプ１６が配設されている。符号１７はドレンポンプ１６の吸込口、１８はドレンポンプ１６の吐出口である。
【００２７】
上記構成の空気調和機用室内機において、図２に示すように、前記ドレンポンプ１６の吐出口１８より下流側であって該吐出口１８より高位にあるドレン配管Ｌには、ドレン水Ｄと接触可能状態の抗菌剤１９，１９・・が配置されている。ここで、前記ドレン配管Ｌは、ドレンポンプ１６の吐出管２３、室内機本体３内部に位置する吐出管２３と室内機本体３外部に位置するドレンホース２４とを接続するための配管接続部２５、現地配管される前記ドレンホース２４および該ドレンホース２４の屈曲部に設けられるエルボ２６，２７からなっている。符号２８はドレンポンプ１６の駆動源であるモータである。
【００２８】
この場合、抗菌剤１９，１９・・を、前記ドレン配管Ｌを構成する全部材（例えば、吐出管２３、配管接続部２５、ドレンホース２４およびエルボ２６，２７）の内周面あるいは空気調和機本体（即ち、室内機）３の外部に位置する部材（例えば、配管接続部２５、ドレンホース２４およびエルボ２６，２７）の内周面に練り込むようにしてもよい。
【００２９】
特に、図３に示すように、配管接続部２５の内部に、図６および図７に示す抗菌剤ユニットＫを配置するようにした場合、ドレン水Ｄと抗菌剤１９，１９・・との接触面積を大きくできるところから、静菌効果を長時間持続できる。また、配管接続部２５は着脱が可能な構成となっているため、抗菌剤ユニットＫの交換等のメンテナンスが容易となる。符号２９は抗菌剤ユニットＫを支持するための支持紐である。
【００３０】
ところで、例えば図４（イ）の正面図、（ロ）の内部拡大図および図５（イ）の平面図、（ロ）の内部拡大図に示すように、多数の開孔部２１，２１・・を有する円筒形状の保持容器２０内に粒状またはペレット状の抗菌剤１９，１９・・を収容して構成される抗菌剤ユニットＫとして提供する場合もあり、例えば図６（イ）の正面図、（ロ）の内部拡大図および図７（イ）の平面図、（ロ）の内部拡大図に示すように、多数の開孔部２１，２１・・を有するシート形状の保持容器２０内に粒状またはペレット状の抗菌剤１９，１９・・を収容して構成される抗菌剤ユニットＫとして提供する場合もある。なお、図７（ハ）の内部拡大図に示すように、保持容器２０を外周部を溶着した網状部材で構成する場合もある。これらの場合、開孔部２１の大きさは、抗菌剤１９の粒子径あるいはペレット径より小さくされている。なお、保持容器２０の形状は、上記以外の形状（例えば、多角形筒形状あるいは楕円筒形状）でもよく、その壁面は、網、多孔質、不織布、パンチングプレート等のように開孔部（明確な開口部がなくとも水の出入りが可能であればよい）をもつものであればなんでも良い。また、開孔部の形状はなんでもよい。また、保持容器２１の材質は、金属、合成樹脂、布等のように水に対して大局的に不溶性のものであれば良い。さらに、保持容器２０は、自立性（即ち、容器自体で形状を保持できるもの）があってもなくても（例えば、袋のように容器自体で形状を保てないもの）良い。
【００３１】
また、図８（イ）の正面図、（ロ）の内部拡大図および図９（イ）の平面図、（ロ）の内部拡大図に示すように、合成樹脂等の材料からなる保持材２２に抗菌剤１９，１９・・を練り込んで構成される抗菌剤ユニットＫとして提供する場合もある。この場合、保持材２２の形状は、円柱形状、多角形柱形状、楕円柱形状、シート形状等のいずれでもよい。
【００３２】
上記のように構成したことにより、ドレンポンプ１６の運転時においては、ドレン配管Ｌを通過するドレン水Ｄが抗菌剤１９，１９・・に接触して、ドレンポンプ１６の下流側における静菌効果が大きくなる（スライムの増殖を防止できる）一方、ドレンポンプ１６の運転停止時においては、ドレン配管Ｌ内に残る高濃度の抗菌剤を含む戻り水がドレンパン８に逆流し、ドレンパン８内における静菌効果が大きくなり（スライムの増殖を防止でき）、ドレン配管Ｌおよびドレンパン８におけるスライムの増殖を効果的に防止できる。
【００３３】
なお、上記実施の形態において使用されている抗菌剤としては、銀（Ａｇ）、銅（Ｃｕ）、亜鉛（Ｚｎ）、錫（Ｓｎ）などの無機化合物を主体とする無機系抗菌剤、さらにパラクロロメタキシレノールおよび２−５−ジクロロ−４−ブロモフェノールなどのフェノール類、Ｎ−（フロロジクロロメチルチオ）−フタルイミドおよびＮ，Ｎ−ジメチル−Ｎ′−フェニル−Ｎ′−（フロロジクロロメチルチオ）−スルファミドなどのハロアルキル類、その他の有機系抗菌剤などがある。
【００３４】
また、上記無機系抗菌剤の場合、抗菌剤を、例えば炭酸カルシウム、ゼオライト、カオリンクレー、珪藻土、タルク、ベンナイト、セラミックス、活性炭、アパタイトなどに担持させた無機系抗菌剤を採用することもできる。セラミックス、活性炭、アパタイトなどに担持させた無機系抗菌剤は抗菌性が高く、非揮発性であり、樹脂と混練し易いなどのメリットがある。さらに、無機系抗菌剤を担持した水溶解性ガラス等のように、水に溶けることによって殺菌効果のある抗菌剤が溶出する粒状又はペレット状のものなどがある。
【００３５】
上記実施の形態においては、天井埋込式空気調和機用室内機について説明したが、本願発明は、他の形式の空気調和機用室内機にも適用可能なことは勿論である。
【図面の簡単な説明】
【００３６】
【図１】本願発明の実施の形態にかかる空気調和機（室内機）の縦断面図である。
【図２】本願発明の実施の形態にかかる空気調和機（室内機）における要部拡大断面図である。
【図３】本願発明の実施の形態にかかる空気調和機（室内機）における抗菌剤ユニットの取付状態を示す要部拡大断面図である。
【図４】本願発明の実施の形態にかかる空気調和機（室内機）において使用される抗菌剤の使用形態例Ｉを示すものであり、（イ）は正面図、（ロ）は内部拡大図である。
【図５】本願発明の実施の形態にかかる空気調和機（室内機）において使用される抗菌剤の使用形態例Ｉを示すものであり、（イ）は平面図、（ロ）は内部拡大図である。
【図６】本願発明の実施の形態にかかる空気調和機（室内機）において使用される抗菌剤の使用形態例ＩＩを示すものであり、（イ）は正面図、（ロ）は内部拡大図である。
【図７】本願発明の実施の形態にかかる空気調和機（室内機）において使用される抗菌剤の使用形態例ＩＩを示すものであり、（イ）は平面図、（ロ）は内部拡大図である。
【図８】本願発明の実施の形態にかかる空気調和機（室内機）において使用される抗菌剤の使用形態例ＩＩＩを示すものであり、（イ）は正面図、（ロ）は内部拡大図である。
【図９】本願発明の実施の形態にかかる空気調和機（室内機）において使用される抗菌剤の使用形態例ＩＩＩを示すものであり、（イ）は平面図、（ロ）は内部拡大図、（ハ）は変形例を示す内部拡大図である。
【符号の説明】
【００３７】
３は空気調和機本体（室内機本体）
６は熱交換器
８はドレンパン
１６はドレンポンプ
１８は吐出口
１９は抗菌剤
２０は保持容器
２１は開孔部
２２は保持部材
２５は配管接続部
Ｄはドレン水
Ｋは抗菌剤ユニット
Ｌはドレン配管
【図１】
2006194492.tif 000003
【図２】
2006194492.tif 000004
【図３】
2006194492.tif 000005
【図４】
2006194492.tif 000006
【図５】
2006194492.tif 000007
【図６】
2006194492.tif 000008
【図７】
2006194492.tif 000009
【図８】
2006194492.tif 000010
【図９】
2006194492.tif 000011